(57)【要約】      （修正有）【課題】順番が到来して利用者を案内する際に、受付登録をした本人であるかどうかの確認を行えるようにする順番管理システム、順番管理装置及びプログラムを提供する。【解決手段】施設における順番待ちを管理する順番管理システム１は、利用者による順番待ちの登録を受け付ける受付端末と、施設における順番待ちの登録の情報を管理する順番管理サーバ１００と、を備える。受付端末は、利用者による順番待ちの登録の操作中に、利用者を特定する認証情報を取得する認証情報取得部を備える。順番管理サーバは、登録された順番待ちの情報と紐づけて、登録した利用者の認証情報を登録する記憶部と、利用者の順番が到来して案内する際、登録されている認証情報を利用して、当該利用者が順番待ちの登録を行った本人であるか否かの確認を行う認証部とを備える。【選択図】図１
2020154949.tif 000002
【特許請求の範囲】
【請求項１】
施設における順番待ちを管理する順番管理システムであって、
利用者による順番待ちの登録を受け付ける受付端末と、
前記施設における順番待ちの登録の情報を管理する順番管理サーバと、を備え、
前記受付端末は、
前記利用者による順番待ちの登録の操作中に、前記利用者を特定する認証情報を取得する認証情報取得部を備え、
前記順番管理サーバは、
登録された順番待ちの情報と紐づけて、登録した利用者の認証情報を登録する記憶部と、
前記利用者の順番が到来して案内する際、登録されている認証情報を利用して、当該利用者が順番待ちの登録を行った本人であるか否かの確認を行う認証部と、を備えた順番管理システム。
【請求項２】
前記認証情報取得部は、
前記受付端末への入力操作のために、前記利用者の指が画面に触れることによって得られた前記利用者の指紋情報を取得し、
前記認証部は、
前記利用者の順番が到来して案内する際、当該利用者の指紋と、登録されている指紋の照合を行い、当該利用者が順番待ちの登録を行った本人であるか否かの確認を行う、請求項１に記載の順番管理システム。
【請求項３】
前記認証情報取得部は、
前記利用者の指紋情報を、複数回の前記画面への指の接触において取得し、
前記認証部は、
当該利用者の指紋と、登録されている複数の指紋の照合を行い、所定数以上の登録されている指紋と一致した場合には、当該利用者が順番待ちの登録を行った本人であると判断する、請求項１または２に記載の順番管理システム。
【請求項４】
前記受付端末は、
前記認証情報を取得して、本人確認に利用することを通知する通知部を備えた、請求項１から３のいずれか１項に記載の順番管理システム。
【発明の詳細な説明】
【技術分野】
【０００１】
本発明は、順番管理システム、順番管理装置、およびプログラムに関する。
【背景技術】
【０００２】
従来、レストランや店舗、病院、銀行、役所等においては、そのサービスを待つ顧客の順番待ちを管理するために、種々の順番管理システムが採用されている。
【０００３】
例えば、特許文献１には、順番待ちのできる複数の施設に対して同時に予約管理サービスを提供する予約管理システムが記載されており、ユーザは、Ｗｅｂや、電話や、店頭端末から、施設の混雑状況の確認や、順番待ち予約の申し込みをできることが記載されている。また、案内の順番が近づいたら電話やメールで通知することが記載されている。
【先行技術文献】
【特許文献】
【０００４】
【特許文献１】特開２００５−５０００２号公報
【発明の概要】
【発明が解決しようとする課題】
【０００５】
従来のシステムでは、順番が到来した利用者を案内する際、受付登録を行った本人であるかどうかの確認をする仕組みがなかった。このため、受付登録を受けて発行した順番券が別の者に利用される可能性があった。
【０００６】
本発明は、以上説明した事情を鑑みてなされたものであり、順番が到来して利用者を案内する際に、受付登録をした本人であるかどうかの確認を行えるようにすることを目的の一つとする。
【課題を解決するための手段】
【０００７】
本発明の一実施形態に係る順番管理システムは、施設における順番待ちを管理する順番管理システムであって、利用者による順番待ちの登録を受け付ける受付端末と、前記施設における順番待ちの登録の情報を管理する順番管理サーバと、を備え、前記受付端末は、前記利用者による順番待ちの登録の操作中に、前記利用者を特定する認証情報を取得する認証情報取得部を備え、前記順番管理サーバは、登録された順番待ちの情報と紐づけて、登録した利用者の認証情報を登録する記憶部と、前記利用者の順番が到来して案内する際、登録されている認証情報を利用して、当該利用者が順番待ちの登録を行った本人であるか否かの確認を行う認証部と、を備える。
【０００８】
また、前記認証情報取得部は、前記受付端末への入力操作のために、前記利用者の指が画面に触れることによって得られた前記利用者の指紋情報を取得し、前記認証部は、前記利用者の順番が到来して案内する際、当該利用者の指紋と、登録されている指紋の照合を行い、当該利用者が順番待ちの登録を行った本人であるか否かの確認を行うようにしてもよい。
【０００９】
また、前記認証情報取得部は、前記利用者の指紋情報を、複数回の前記画面への指の接触において取得し、前記認証部は、当該利用者の指紋と、登録されている複数の指紋の照合を行い、所定数以上の登録されている指紋と一致した場合には、当該利用者が順番待ちの登録を行った本人であると判断するようにしてもよい。
【００１０】
また、前記受付端末は、前記認証情報を取得して、本人確認に利用することを通知する通知部を備えるようにしてもよい。
【発明の効果】
【００１１】
本発明によれば、順番が到来して利用者を案内する際に、受付登録をした本人であるかどうかの確認を行うことができる。
【図面の簡単な説明】
【００１２】
【図１】本発明の実施形態に係る順番管理システム１の概略構成を示す図。
【図２】本発明の実施形態に係る順番管理システム１における順番待ちの受付登録処理のフローチャート。
【図３】本発明の実施形態に係る順番管理システム１における受付画面を例示する図。
【図４】本発明の実施形態に係る順番管理システム１における順番が到来した利用者を案内する際の処理のフローチャート。
【発明を実施するための形態】
【００１３】
以下、本発明の実施形態について図面を参照しつつ詳細に説明する。なお、同一の要素には同一の符号を付し、重複する説明を省略する。
【００１４】
本実施形態では、アミューズメント施設Ａにおける順番待ち管理の例について説明するが、その他、レストラン、ショッピングモール、イベント会場、病院、銀行、役所など、施設利用者の順番待ちの管理を行うあらゆる施設に適用できる。
【００１５】
図１は、本実施形態に係る順番管理システム１の概略構成を示す図である。図１に示すように、順番管理システム１は、管理センター等に設置された順番管理サーバ１００と、施設の入口付近などに設置された順番管理端末２００と、ユーザ端末（受付端末）３００を含んでいる。順番管理サーバ１００は、順番管理端末２００およびユーザ端末３００と通信ネットワークＮを介して接続されている。
【００１６】
施設（ここではアミューズメント施設Ａ）の利用者は、順番管理端末２００またはユーザ端末３００を操作して、施設への順番待ちを登録したり、待ち時間を確認したり、順番が来た際に呼出を受けたりすることができる。また、施設の従業者等は、順番管理端末２００を操作して、利用者に代わって順番待ちを登録したり、順番待ちリストに登録されている順番待ち組のステータスを更新したりする。
【００１７】
順番管理サーバ１００は、順番管理端末２００またはユーザ端末３００を介して登録される順番待ちを施設毎に管理する。図１の例では、１つの施設の順番管理端末２００のみが図示されているが、順番管理サーバ１００は、実際には複数の施設に設置されている順番管理端末２００と通信ネットワークＮで接続され、各施設の順番待ちを管理している。順番管理サーバ１００は、汎用的なコンピュータによって構成され、そのコンピュータにおいて所定のサーバ用プログラムが動作することにより、サーバ機能を実現する。順番管理サーバ１００を構成するコンピュータは、必ずしも１台である必要はなく、通信ネットワークＮ上に分散する複数のコンピュータから構成されてもよい。
【００１８】
順番管理サーバ１００は、施設ごとに順番管理端末２００を管理するための管理データベース（記憶部）１１０と、プロセッサ（認証部）１２０と、を備えている。管理データベース１１０は、クライアント管理テーブルＴＡ１と、ステータス管理テーブルＴＡ２を備えている。
【００１９】
クライアント管理テーブルＴＡ１には、施設毎に、順番管理端末２００に対して付与されている固有のＩＤとパスコード（アカウント）が登録されている。クライアント管理テーブルＴＡ１の１レコードには、例えば「アミューズメント施設Ａ」のレコードとして、「ＩＤ：Ａ１・・・」、「パスコード：ＡＡ２・・・」等が設定されている。これらの情報は、例えば、システム導入の際に各施設で順番待ちの管理を行う管理者（例えば、施設のオーナーなど）によって設定される。なお、１施設で複数の順番管理端末２００を利用する場合には、同一のＩＤとパスコードを利用してもよいが、例えば所定の条件に従い、複数のＩＤとパスワードを使い分けるようにしてもよい。
【００２０】
ステータス管理テーブルＴＡ２には、各施設での順番待ちリストが登録されている。この順番待ちリストは、順番待ちをしている者（順番待ち組）の一覧と、各々の順番待ち組の待ち状況をあらわす情報（ステータス情報）が含まれる。順番待ちリストの１レコードには、受付番号「１」、受付時刻「１３：０３」、受付項目「アトラクションＸ」、ステータス「呼出中」等の情報が含まれている。その他、利用人数、氏名、連絡先のメールアドレス、電話番号などの情報も含むことができる。また、受付登録時に取得した、利用者の指紋情報（認証情報）が、受付番号に紐づけて登録されている。
【００２１】
ステータスには、順番到来前の状態である「待ち中」、順番が来たことを知らせた状態である「呼出中」、順番が来た者を実際に会場内に案内した状態である「案内済」、さらに順番待ちをキャンセルした状態である「取消済」等が含まれる。ステータスとしてどのような項目を設定するかは各施設の管理者等が適宜設定および変更可能となっている。受付項目は、順番待ちを行うアトラクションの種類である。
【００２２】
指紋情報は、例えば、ユーザ端末３００または順番管理端末２００のディスプレイに内蔵されたセンサーによって読み取った情報である。具体的には、利用者がユーザ端末３００（または順番管理端末２００）のタッチパネル等を操作した際に、センサーによって指紋情報を取得する。また、指紋情報の取得はディスプレイに内蔵されたセンサー等に限らず、例えば端末に備えられた指紋読み取り装置によって取得してもよい。
【００２３】
なお、順番待ちリストに含める情報は、各施設の管理者等が適宜設定および変更可能となっている。順番待ちリストの内容は、順番管理端末２００やユーザ端末３００から送信される順番待ちリストへの新規登録情報、またはステータスの更新情報（詳細は後述）に基づいて更新される。
【００２４】
プロセッサ１２０は、算術演算、論理演算、ビット演算等を処理する算術論理演算ユニット（ＣＰＵなど）および各種レジスタから構成され、ＲＯＭ等の記憶手段に格納されている各種プログラムを実行することで順番管理サーバ１００の各部を中枢的に制御する。また、プロセッサ１２０は、順番管理端末２００と連携して順番待ちを管理するためのコンピュータプログラム（順番管理アプリケーション）も実行する。
【００２５】
通信ネットワークＮは、順番管理サーバ１００と順番管理端末２００との間などで、相互に情報を送受信可能な通信網を含む。通信ネットワークＮは、例えば、インターネット、ＬＡＮ、専用線、電話回線、企業内ネットワーク、移動体通信網、ブルートゥース（登録商標）、ＷｉＦｉ（Wireless Fidelity）、その他の通信回線、それらの組み合わせ等のいずれであってもよく、有線であるか無線であるかを問わない。
【００２６】
順番管理端末２００は、タブレット端末や、パーソナルコンピュータ（ＰＣ）、ノートＰＣ、スマートフォン、携帯電話機、携帯情報端末（ＰＤＡ）など、通信ネットワークＮを介して順番管理サーバ１００とデータの授受が可能なあらゆる端末装置を利用することができる。なお、順番管理端末２００は、１施設で複数台利用することもできる。
【００２７】
図１に示すように、順番管理端末２００は、プロセッサ２１０と、入力装置２２０と、表示装置（認証情報取得部、通知部）２３０と、通信インタフェース２４０と、記憶資源２５０を備える。順番管理端末２００は、施設に来たゲストや、施設の従業者がタッチパネルなどの入力装置２２０を操作することで、ステータス管理リストへの登録や更新等の入力を受け付ける。
【００２８】
プロセッサ２１０は、算術演算、論理演算、ビット演算等を処理する算術論理演算ユニット（ＣＰＵなど）および各種レジスタから構成され、記憶資源２５０に格納されている各種プログラムを実行することで順番管理端末２００の各部を中枢的に制御する。各種レジスタは、例えば、プログラムカウンタ、データレジスタ、命令レジスタ、汎用レジスタ等である。
【００２９】
入力装置２２０は、ステータス管理リストへの受付やステータス管理リストからの消込み等の入力を受け付けるための各種操作ボタンやタッチパネルを備えている。
【００３０】
表示装置２３０は、ステータス管理リストや、受付画面やステータス管理画面を表示するための装置であり、例えば液晶ディスプレイにより構成される。また、表示装置２３０は、指紋センサー（光学式、超音波式等）を内蔵している。
【００３１】
通信インタフェース２４０は、通信ネットワークＮに接続し、通信ネットワークＮを介して他の装置と通信をするためのハードウェアモジュールである。通信インタフェース２４０は、例えば、ＩＳＤＮモデム、ＡＤＳＬモデム、ケーブルモデム、光モデム、ソフトモデム等の変調復調装置である。
【００３２】
記憶資源２５０は、例えば、物理デバイスの記憶領域が提供する論理デバイスである。物理デバイスは、例えば、ディスクドライブまたは半導体メモリ（ＲＯＭ、ＲＡＭなど）等のコンピュータ読み取り可能な記録媒体である。記憶資源２５０は、複数の物理デバイスを１つの論理デバイスにマッピングして構築してもよいし、１つの物理デバイスを複数の論理デバイスにマッピングして構築してもよい。
【００３３】
記憶資源２５０には、オペレーティングシステムプログラム、ドライバプログラム、各種データ等が格納される。ドライバプログラムとしては、例えば、通信インタフェース２４０を制御するための通信インタフェースドライバプログラム等がある。また、記憶資源２５０には、これら各種プログラムや各種データのほか、プロセッサ２１０が実行することにより、順番管理サーバ１００と連携して順番待ちを管理するためのコンピュータプログラム（アプリケーション）が記憶されている。
【００３４】
ユーザ端末３００は、施設の利用者が所有する、パーソナルコンピュータ（ＰＣ）、ノートＰＣ、スマートフォン、携帯電話、タブレット端末、ウェアラブルデバイスなどの端末である。ユーザ端末３００は、プロセッサ３１０、各種操作ボタンやタッチパネルなどの入力装置３２０、液晶ディスプレイなどの表示装置３３０、通信ネットワークＮに接続するための通信インタフェース３４０、ディスクドライブまたは半導体メモリ（ＲＯＭ、ＲＡＭなど）などの記憶資源３５０を備えている。記憶資源３５０には、これら各種プログラムや各種データのほか、各施設が会員等に各種サービスを提供するコンピュータプログラム（専用アプリ）が記憶されている。利用者は、ユーザ端末３００にインストールされている専用アプリやウェブブラウザを介して、各施設への順番待ちを登録することができる。
【００３５】
（順番待ちの受付登録）
次に、順番管理システム１による順番待ちの受付登録処理について図２のフローチャートを用いて説明する。受付登録を行う利用者は、実際に施設に行って、順番管理端末２００を操作してもよいし、自身の所持するユーザ端末３００を介して受付登録を行うこともできる。ユーザ端末３００を用いる場合、利用者は自宅や外出先などからでも受付登録を行うことができる。具体的には、専用アプリやウェブサイト上で利用したい施設の受付画面を表示して、受付登録を行うことができる。ここでは、ユーザ端末３００を用いる場合を例に説明する。
【００３６】
まず、利用者がユーザ端末３００を操作して、順番管理システム１のウェブサイトにアクセスし、利用したい施設（ここでは、アミューズメント施設Ａ）を選択する操作を行う（ステップＳ１０１）。
【００３７】
利用したい施設が選択されると、ユーザ端末３００は、表示装置３３０にメールアドレス入力画面を表示し、メールアドレスの入力を受け付ける（ステップＳ１０２）。
【００３８】
ユーザ端末３００は、メールアドレスの入力が完了すると、順番管理サーバ１００に選択された施設の識別情報（施設名または施設のＩＤ等）と、入力されたメールアドレスを送信する（ステップＳ１０３）。
【００３９】
順番管理サーバ１００は、受信したメールアドレス宛に、受信した施設の受付画面を表示するＵＲＬを送信する（ステップＳ１０４）。
【００４０】
利用者は、ユーザ端末３００を操作して、受信したＵＲＬにアクセスし、アミューズメント施設Ａの受付画面を表示させる（ステップＳ１０５）。図３は、受付画面を例示する図である。図３に示すように、受付画面には、アミューズメント施設Ａの各アトラクションの現在の待ち時間などの情報が表示される。また、受付画面には、受付操作の間に指紋情報を取得して、後で本人確認に利用することを知らせるメッセージが表示される。
【００４１】
利用者が、受付画面において受付ボタンＢにタッチすることにより、ユーザ端末３００には、受付情報入力画面が表示される（ステップＳ１０６）。なお、利用者が受付ボタンＢにタッチした際に、指紋情報を取得するようにしてもよい。
【００４２】
受付情報入力画面には、受付登録に必要な情報の入力を促すメッセージと、入力欄（選択ボタンや入力ボックス等）が表示されている。利用者は、ユーザ端末３００を操作して、順番待ちの受付に必要な情報の入力（受付項目の選択、利用人数、呼出通知（電話又はメール）の希望の有無、呼出時の連絡先等）を行い、入力完了ボタン等を操作して入力を完了させる（ステップＳ１０７）。受付情報入力画面においても、所定の操作（例えば、受付項目の選択操作や、入力完了ボタンへのタッチ）を行った際に、指紋情報を取得するようにしてもよい。
【００４３】
受付情報入力画面における入力が完了すると、入力された情報（新規登録情報）が、ユーザ端末３００から順番管理サーバ１００に送信される（ステップＳ１０８）。また、画面において取得した指紋情報も順番管理サーバ１００に送信される。
【００４４】
順番管理サーバ１００は、受信した新規登録情報に基づいて、その施設（イベント会場Ａ）の順番待ちリストに順番待ちを１組新たに追加する処理を行う（ステップＳ１０９）。また、順番管理サーバ１００は、受信した指紋情報を、新たに追加した順番待ちに紐づけて登録する。指紋情報を複数回取得した場合には、全ての指紋情報を登録する。
【００４５】
ユーザ端末３００の表示装置３３０には、受付完了画面が表示され、受付番号や、現時点での予想待ち時間等が表示される（ステップＳ１１０）。
【００４６】
なお、利用者が順番管理端末２００から受付登録を行う場合には、ステップＳ１０１〜Ｓ１０４のメールによる疎通確認は省略され、利用者は、順番管理端末２００に表示された受付画面に対して、上記と同様の操作を行うことにより受付登録を行うことができる。
【００４７】
また、上記の例では、利用者がディスプレイにタッチした際に、ディスプレイに実装されたセンサー等によって指紋情報を取得しているが、ディスプレイ内蔵以外の指紋読み取り装置によって取得するようにしてもよい。この場合には、例えば受付情報入力画面において、指紋読み取り装置から指紋情報登録するように促すメッセージを表示するようにしてもよい。
【００４８】
（順番待ちリストの更新）
各施設の順番待ちリストの各レコードの内容は、施設の従業者が順番管理端末２００を操作してステータスの更新処理を行った際などに更新される。ステータスの更新処理には、「取消」、「変更」、「呼出」、「案内」が含まれる。「取消」は、順番待ちをキャンセルすることを意味し、「変更」は、いったん入力された順番待ちの内容を変更することを意味する。また、「呼出」は、順番が来た組を口頭で呼出したり、電話や呼出メールなどで知らせた状態であることを意味し、「案内」は、順番が来た組に対して実際に対応を開始した状態であることを意味する。
【００４９】
従業者が順番管理端末２００を操作してステータスの更新処理を行う場合、順番管理端末２００に表示された順番待ちリストの中から、更新対象の順番待ち組を選択し、選択した順番待ち組に対していずれかの更新処理を行う。更新対象の順番待ち組を特定する情報（例えば受付番号「１」）と更新処理の情報（例えば「案内」）は、順番管理端末２００から通信ネットワークＮを介して順番管理サーバ１００にアップロードされる。順番管理サーバ１００は、受信した情報に基づき、当該施設の順番待ちリストを更新する。例えば、受付番号「１」に対して「案内」操作を行った場合には、受付番号「１」の順番待ち組のステータスが「案内済」に更新される。
【００５０】
（順番到来時の案内）
次に、順番管理システム１による順番が到来した利用者を案内する際の処理について図４のフローチャートを用いて説明する。順番待ちを登録している利用者の順番が到来すると、当該利用者に対して呼出が行われ、ステータスが「呼出中」に更新される（ステップＳ２０１）。
【００５１】
呼出を受けた利用者が所定の案内場所（アトラクションの受付等）に来ると、施設の従業者等が、本人確認のための指紋認証を行う（ステップＳ２０２）。具体的には、例えば、利用者に順番管理端末２００の所定の位置を指でタッチしてもらうことにより、指紋情報を取得する。取得した指紋情報を、順番待ちリストのレコードに紐づけて登録した指紋情報と照合する。照合結果が一致したら（ステップＳ２０３：ＹＥＳ）、当該利用者を案内してステータスを「案内済」に更新する（ステップＳ２０４）。
【００５２】
また、指紋情報が複数登録されている場合には、各々の登録されている指紋情報との照合を行うようにしてもよい。照合の結果、所定数以上（例えば、２つ以上）の登録されている指紋情報と一致した場合には、本人であると判断するようにしてもよい。
【００５３】
以上のように、本実施形態によれば、利用者がユーザ端末３００や順番管理端末２００を操作して順番待ちの登録を行う際に、端末に実装された指紋読み取り機能を利用して指紋情報を取得し、受付登録のデータと紐づけて管理する。案内時には、登録されている指紋情報を利用して、本人確認を行うようにしたので、順番が到来した利用者を案内する際に、受付登録をした本人であるかどうかの確認を行うことができる。
【００５４】
また、指紋情報の取得は、端末のディスプレイに内蔵された指紋センサーを利用して、利用者が画面に触れた際に取得するようにしたので、利用者が順番待ちの登録のための操作を行うために画面にタッチした際に、指紋情報の取得を併せて行うことができる。
【００５５】
また、受付登録の際に指紋情報を複数回取得し、本人確認を行う際、所定数以上の指紋情報と一致した場合に本人であると判断するようにしたので、照合の精度を上げることができる。
【００５６】
また、指紋情報を取得して本人確認に利用することは、予め受付登録の際に利用者に知らせるようにしたので、個人情報の取扱いにも配慮することができる。
【００５７】
本発明は、順番待ちを登録した者と、順番到来時に実際に案内される者が同一人物であることを確認できるので、１人１回限りの制限がある順番券（アトラクションの整理券など）の転売などの防止に特に効果がある。
【００５８】
なお、本実施形態では、認証情報として指紋情報を利用しているが、例えば、受付時にカメラで顔画像や網膜画像を取得して、顔認証や網膜認証を行うようにしてもよい。または、マイクで声を取得して、音声認証を行うようにしてもよい。
【００５９】
なお、本発明は、上述した実施形態に限定されるものではなく、本発明の要旨を逸脱しない範囲内において、他の様々な形で実施することができる。このため、上記実施形態はあらゆる点で単なる例示にすぎず、限定的に解釈されるものではない。例えば、上述した各処理ステップは処理内容に矛盾を生じない範囲で任意に順番を変更し、または並列に実行することができる。
【符号の説明】
【００６０】
１…順番管理システム
１００…順番管理サーバ
１１０…管理データベース
１２０…プロセッサ
２００…順番管理端末
２１０…プロセッサ
２２０…入力装置
２３０…表示装置
２４０…通信インタフェース
２５０…記憶資源
３００…ユーザ端末
３１０…プロセッサ
３２０…入力装置
３３０…表示装置
３４０…通信インタフェース
３５０…記憶資源
ＴＡ１…クライアント管理テーブル
ＴＡ２…ステータス管理テーブル
Ｎ…通信ネットワーク
【図１】
2020154949.tif 000003
【図２】
2020154949.tif 000004
【図３】
2020154949.tif 000005
【図４】
2020154949.tif 000006
【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
施設における順番待ちを管理する順番管理システムであって、
利用者による順番待ちの登録を受け付けるユーザ端末と、
前記施設に設置された順番管理端末と、
前記施設における順番待ちの登録の情報を管理する順番管理サーバと、を備え、
前記ユーザ端末は、
前記利用者による順番待ちの登録の操作中に、前記利用者を特定する第一生体情報を取得する第一生体情報取得部を備え、
前記順番管理端末は、前記利用者の順番が到来した後に、前記利用者を特定する第二生体情報を取得する第二生体情報取得部を備え、
前記順番管理サーバは、
前記ユーザ端末が取得した前記第一生体情報と前記順番管理端末が取得した前記第二生体情報を照合することにより前記利用者が順番待ちの登録を行った本人であるか否かの確認を行う認証部と、を備えた順番管理システム。
【請求項２】
前記第一生体情報取得部は、
前記ユーザ端末への入力操作のために、前記利用者の指が画面に触れることによって得られた前記利用者の第一指紋情報を取得し、
前記第二生体情報取得部は、
前記利用者の順番が到来した後に、前記利用者の指が前記順番管理端末の所定の位置に触れることによって得られた前記利用者の第二指紋情報を取得し、
前記認証部は、
前記利用者の順番が到来して案内する際、当該利用者の前記第一指紋情報と前記第二指紋情報との照合を行い、当該利用者が順番待ちの登録を行った本人であるか否かの確認を行う、請求項１に記載の順番管理システム。
【請求項３】
前記第一生体情報取得部は、
前記利用者の前記第一指紋情報を、複数回の前記画面への指の接触において取得し、
前記認証部は、
当該利用者の複数の前記第一指紋情報と、前記第二指紋情報との照合を行い、前記第二指紋情報が、所定数以上の前記第一指紋情報と一致した場合には、当該利用者が順番待ちの登録を行った本人であると判断する、請求項２に記載の順番管理システム。
【請求項４】
前記ユーザ端末は、
前記第一生体情報を取得して、本人確認に利用することを通知する通知部を備えた、請求項１から３のいずれか１項に記載の順番管理システム。
【請求項５】
施設における順番待ちを管理する順番管理方法であって、
利用者による順番待ちの登録の操作中に、ユーザ端末を介して前記利用者を特定する第一生体情報を取得する工程と、
前記利用者の順番が到来した後に、前記施設に設置された順番管理端末を介して前記利用者を特定する第二生体情報を取得する工程と、
前記ユーザ端末が取得した前記第一生体情報と前記順番管理端末が取得した前記第二生体情報を照合することにより前記利用者が順番待ちの登録を行った本人であるか否かの確認を行う工程と、を備えた順番管理方法。
【請求項６】
コンピュータに、
利用者による順番待ちの登録の操作中に、ユーザ端末を介して前記利用者を特定する第一生体情報を取得する工程と、
前記利用者の順番が到来した後に、前記施設に設置された順番管理端末を介して前記利用者を特定する第二生体情報を取得する工程と、
前記ユーザ端末が取得した前記第一生体情報と前記順番管理端末が取得した前記第二生体情報を照合することにより前記利用者が順番待ちの登録を行った本人であるか否かの確認を行う工程と、を実行させるプログラム。